(57)【要約】【課題】  この考案は灯籠の火袋部の取替えが容易に出来、且つ、該火袋部の側面開口部に複数の家紋を装着し、且つ、該火袋部の中にほんのりとした明かりを灯す事で安穏なひと時を感じる風情を取り戻す事が出来る点灯式家紋付灯籠を開発・提供する事にある。【解決手段】  この課題を解決する為の手段として、基礎部と竿部と中台部と火袋部と笠部と宝珠部から成り、且つ、該火袋部は火袋本体の複数の側面開口部に、プラスチックやアクリル等の樹脂板で重合包囲して防水及び脱色防止処理を施し、容易に着脱可能な家紋入り和紙等の表装部材をそれぞれ装着し、且つ、該火袋本体の中央部にセンサー又はタイマー付照明器具を設けたものである。【選択図】  図１
0003122239.tif 000002
【実用新案登録請求の範囲】
【請求項１】
神社や寺院の庭、旅館やホテルの庭園等に設置する灯籠において、該灯籠は基礎部（１）と竿部（２）と中台部（３）と火袋部（４）と笠部（５）と宝珠部（６）から成り、且つ、該火袋部（４）は火袋本体（４ａ）の複数の側面開口部に、プラスチックやアクリル等の樹脂板（４ｂ）で重合包囲して防水及び脱色防止処理を施し、容易に着脱可能な家紋入り和紙等の表装部材（４ｃ）をそれぞれ装着し、且つ、該火袋本体（４ａ）の中央部にセンサー又はタイマー付照明器具（ＳＬ）を設け、且つ、使用時は状況に応じて自動又は手動で点灯する事を特徴とする点灯式家紋付灯籠。
【考案の詳細な説明】
【技術分野】
【０００１】
この考案は、点灯式家紋付灯籠に関するものである。
【背景技術】
【０００２】
従来、灯籠は石材製の物が多く、通常は石灯籠と呼ばれていて、各部が下から上に順次、基礎、竿、中台、火袋、笠、宝珠と呼ばれており、これらの各部が個別に独立して製造され、設置時には下から上に順番に重ねてある。そして、これらの各部の断面形状は六角形のものが一般的で、竿の部分は円形のものもある。この灯籠の火袋部分の六面には明かりを取り入れる為の窓が開口され、窓の内側の火袋内に蝋燭を立てて火を灯す空間が設けられている。
【０００３】
ところが、昨今では灯籠に限らず蝋燭そのものを使用する機会が少なく成り、オール電化の風潮が高まりつつある。そうした中、世間では近親者間や幼児等が犠牲となる痛ましい事件が相次いで発生している為、生命の尊さや先祖を思いやる人間本来の心情を取り戻す為に、お墓にほんのりとした明かりを灯す事で、安穏なひと時を感じる風情を取り戻す為の環境作りが望まれている。
【０００４】
そこで、これまでに出願されている灯籠の特許文献を参考の為、紹介する。（特許文献１参照。）
【特許文献１】特開平１１−３０６８０６
【考案の開示】
【考案が解決しようとする課題】
【０００５】
そこで、上記課題を解決する為に、この考案は灯籠の火袋部の取替えが容易に出来、且つ、該火袋部の側面開口部に複数の家紋を装着し、且つ、該火袋部の中にほんのりとした明かりを灯す事で安穏なひと時を感じる風情を取り戻す事が出来る点灯式家紋付灯籠を開発・提供する事にある。
【課題を解決するための手段】
【０００６】
この課題を解決する為の手段として、基礎部と竿部と中台部と火袋部と笠部と宝珠部から成り、且つ、該火袋部は火袋本体の複数の側面開口部に、プラスチックやアクリル等の樹脂板で重合包囲して防水及び脱色防止処理を施し、容易に着脱可能な家紋入り和紙等の表装部材をそれぞれ装着し、且つ、該火袋本体の中央部にセンサー又はタイマー付照明器具を設け、且つ、使用時は状況に応じて自動又は手動で点灯するものである。
【考案の効果】
【０００７】
この考案の効果として、基礎部と竿部と中台部と火袋部と笠部と宝珠部から成り、且つ、該火袋部は火袋本体の複数の側面開口部に、プラスチックやアクリル等の樹脂板で重合包囲して防水及び脱色防止処理を施し、容易に着脱可能な家紋入り和紙等の表装部材をそれぞれ装着し、且つ、該火袋本体の中央部にセンサー又はタイマー付照明器具を設け、且つ、使用時は状況に応じて自動又は手動で点灯する事で、先祖への感謝・供養と生命の尊さや人間本来の持つ安穏なひと時を感じる風情を取り戻す事が出来る等、極めて有益なる効果を奏するものである。
【考案を実施するための最良の形態】
【０００８】
この考案の最良の形態として、灯籠の火袋部に灯す照明器具は、ほんのりとした明かり程度が適しており、使用する場所や環境に適し、且つ、経済的で耐久性に優れた最適な効果のある照明器具を選定する事が重要である。
【実施例１】
【０００９】
そこで、この考案の一実施例を図１〜図３に基づいて詳述すると、  神社や寺院の庭、旅館やホテルの庭園等に設置する灯籠において、該灯籠は基礎部（１）と竿部（２）と中台部（３）と火袋部（４）と笠部（５）と宝珠部（６）から成り、且つ、該火袋部（４）は火袋本体（４ａ）の複数の側面開口部に、プラスチックやアクリル等の樹脂板（４ｂ）で重合包囲して防水及び脱色防止処理を施し、容易に着脱可能な家紋入り和紙等の表装部材（４ｃ）をそれぞれ装着し、且つ、該火袋本体（４ａ）の中央部にセンサー又はタイマー付照明器具（ＳＬ）を設け、且つ、使用時は状況に応じて自動又は手動で点灯する事を特徴とする点灯式家紋付灯籠から構成される。
【００１０】
次に、この考案の詳細について説明すると、本考案は新規に製造する場合と、既設の物を改造する場合の二通りあるが、何れにも適用可能であり、図１に示す様に灯籠の火袋部（４）の火袋本体（４ａ）の三方開口部に樹脂板が嵌着出来る様に段付溝部を成形加工し、且つ、該段付溝部（４ｄ）に二枚重合したプラスチックやアクリル等の半透明の樹脂板（４ｂ）間に挟着した家紋入り和紙等の表装部材（４ｃ）を装着し、且つ、該火袋本体（４ａ）の中央部に自動点灯及び自動消灯可能なＬＥＤ光源型照明器具を設けたものである。
【００１１】
又、上記のＬＥＤ光源型照明器具の点灯は、センサー又はタイマーにより、所定の時刻に成ると自動的にスィッチがＯＮされ、所定の時間が経過すると自動的にスィッチがＯＦＦに成る仕組みに成っていて、電源は太陽光熱エネルギーを使用している。但し、電源に関しては使用する場所や環境や予算に合わせて乾電池や既設の交流電源から接続した物でも適用可能である。
【００１２】
又、本装置は春のお彼岸（３月１８日〜３月２４日）、夏のお盆（８月１３日〜８月１６日）、秋の彼岸（９月１８日〜９月２４日）、年の暮れ（お正月）等、一年を通して使用するものであり、その時期に合わせて自動的に電源がＯＮ，ＯＦＦ出来る年間タイマーを設置すれば更に効果的である。しかし、灯籠を使用する時の状況に応じて、自動点灯から手動点灯に切り替える事も可能である。
【００１３】
尚、上記実施例の灯籠の火袋部（４）は特殊な四角形をしているが、一般的な六角形等、形状が違っても構わない。
【産業上の利用可能性】
【００１４】
この考案の自動点灯式灯籠は、火袋部の取替えが容易に出来、且つ、該火袋部の側面開口部に複数の家紋を装着し、且つ、該火袋部の中にほんのりとした明かりを灯す事で安穏なひと時を感じる風情を取り戻す事が出来る為、多くの市場に寄与する点で産業上の利用可能性を有する。
【図面の簡単な説明】
【００１５】
【図１】この考案の一実施例を示し、点灯式家紋付灯籠全体の正面図である。
【図２】この考案の一実施例を示し、火袋部の斜視図である。
【図３】この考案の一実施例を示し、火袋部の断面図である。
【符号の説明】
【００１６】
１  基礎部
２  竿部
３  中台部
４  火袋部
４ａ  火袋本体
４ｂ  樹脂板
４ｃ  表装部材
４ｄ  段付溝部
５  笠部
６  宝珠部
ＳＬ  センサー又はタイマー付照明器具
【図１】
0003122239.tif 000003
【図２】
0003122239.tif 000004
【図３】
0003122239.tif 000005